(57)【特許請求の範囲】
【請求項１】
地上より立設された直立壁の、音源とは反対側の上端付近を起点とし、音源とは反対側に傾斜する第１の傾斜壁を設け、更に音源とは反対側に傾斜し、第１の傾斜壁の起点より上方の部分を起点として第１の傾斜壁と並行に設けられた第２の傾斜壁を有し、第１及び第２の傾斜壁は、音源とは反対側に張り出す円弧状の形状となされ、第２の傾斜壁は第１の傾斜壁の円弧状の形状をなす内側に設けられ、第２の傾斜壁の音源とは反対側に溝部が形成されていることを特徴とする遮音壁。
【請求項２】
第１及び第２の傾斜壁の音源側の外面には、吸音材が貼着されていることを特徴とする請求項１に記載の遮音壁。
【請求項３】
第１、第２の傾斜壁及び直立壁の上端の３ヶ所は、ほぼ同一直線上にあることを特徴とする請求項１又は２に記載の遮音壁。
【請求項４】
第１の傾斜壁は、上端の地上高が第２の傾斜壁の上端の地上高より高いことを特徴とする請求項３に記載の遮音壁。
【請求項５】
第１及び第２の傾斜壁は、直立壁に締結手段等を用いて直接取り付けられていることを特徴とする請求項１、２、３又は４に記載の遮音壁。
【請求項６】
第１及び第２の傾斜壁は、板状の部材に締結手段等を用いて固定一体化されて騒音低減装置とされ、該騒音低減装置が直立壁の音源と反対側面の上端部付近に締結手段等により取り付けられていることを特徴とする請求項１、２、３又は４に記載の遮音壁。
【発明の詳細な説明】
【０００１】
【発明の属する技術分野】
本発明は道路交通や、鉄道等により発生する騒音の防止対策として設けられる遮音壁に関するものである。
【０００２】
【従来の技術】
近年、富に道路周辺での騒音による公害に対して関心が高まっており、道路付帯設備としての遮音壁には高い遮音性能が求められているが、従来の遮音壁を用いてより一層の遮音性能を発揮するには、遮音壁を構成する部材の中の遮音機能を有する部分の厚みを増やすか、遮音壁の嵩上げを行う方法がある。
【０００３】
しかしながら、遮音機能を有する部分の厚みを増やす場合は、遮音壁の重量及び部材のコストの増加に繋がり、既に設置されている場合においては遮音壁の取り換え又は取り外しての部材交換が必要となる。また遮音壁の嵩上げを行う方法ではコスト増は言うに及ばず、遮音壁の面積が増大することで遮音壁が受ける風荷重も増大し、遮音壁を支える支柱、アンカー、壁高欄等への負荷が増加する。更には沿線への日照問題、車道を走行する車両の運転者に対する圧迫感等、種々の弊害が生じ、遮音壁の地上高が増すにつれその傾向は顕著なものとなる。
【０００４】
そこで近年、遮音壁の上端に種々の形状の騒音低減装置を設け、騒音源からの回折音を低減し全体としての遮音性能を向上させる方法が適用されている。
【０００５】
【発明が解決しようとする課題】
しかし、遮音壁の上端に単なる四角形やＴ字型の断面形状を有する騒音低減装置を設ける方法では、近年更に高まりを見せる騒音による公害への対策として遮音性能が不十分であり、逆に遮音性能を高めようとすれば、多数の分岐する壁を設けるといった複雑な形状のものが必要であり、かような騒音低減装置では加工が複雑且つ煩瑣であり、更には吸音装置の大型化は避けられない。
【０００６】
また騒音低減装置を有する遮音壁が設置される道路交通、鉄道は、通行の妨げとなる恐れがあることから騒音低減装置はそれ程音源側に張り出した形で設置することが出来ず、路側帯の狭い道路等に沿って騒音低減装置を有する遮音壁を設置する場合においては、特に音源側への張り出しを少なくする必要がある。
【０００７】
そこで本発明は形状が簡潔で高い遮音性能を有し、尚かつ音源側への張り出しの小さい遮音壁を提供するものである。
【０００８】
【課題を解決するための手段】
発明者らは鋭意研究の結果、地上より立設された直立壁の、音源とは反対側の上端付近を起点とし、音源とは反対側に傾斜する第１の傾斜壁を設け、更に音源とは反対側に傾斜し、第１の傾斜壁の起点より上方の部分を起点として第１の傾斜壁と並行に設けられた第２の傾斜壁を有し、第１及び第２の傾斜壁は、音源とは反対側に張り出す円弧状の形状となされ、第２の傾斜壁は第１の傾斜壁の円弧状の形状をなす内側に設けられ、第２の傾斜壁の音源とは反対側に溝部が形成されていることにより高い遮音性能を発現できることを知得し、本発明を完成するに至ったのである。
【０００９】
直立壁の上端に音源と反対側に傾斜して設けられた第１及び第２の傾斜壁の音源側の部分が遮音壁の音源と反対側へ回折しようとする騒音を反射し、更に傾斜壁同士及び傾斜壁と本体壁により形成される溝部分で音波の相互干渉が起こりエネルギーが損失されることから、音源側から遮音壁を越えて伝わろうとする騒音を効果的に遮断し、２重に遮音壁を設ける場合と同程度の高い遮音性能を発揮することができる。また構成は音源と反対側に張り出す２つの傾斜壁により構成され、音源側に張り出し部を設ける必要がなく、且つ簡潔な形状でそれほど複雑且つ煩瑣な加工をすることなく形成が可能であり装置の大きさもそれ程大型なものとする必要がない。
【００１０】
本発明に係わる傾斜壁に関して、第１及び第２の傾斜壁は音源と反対側に傾斜していれば、回折の角度及び装置の幅の許容範囲を考慮しつつ任意の角度で傾斜させて良く、また第１及び第２の傾斜壁の形状は直線状でも途中に折れ曲がり部をもつものでもよく、曲面をもつものでもよい。傾斜壁及び直立壁により形成される溝におけるエネルギーの減衰を考慮すると、溝部内部での騒音の反射による相互干渉が大きくできる音源と反対側へ張り出す円弧状にするのが好ましい。また第１、第２の傾斜壁の上端及び直立壁の上端は同一線上にあることが好ましく、外観、加工性等を考慮してほぼ同一の地上高としてもよいが、第１の傾斜壁の上端は直立壁及び第２の傾斜壁の上端より高くする方が遮音性能を高める上では好ましい。
【００１１】
傾斜壁を形成する材料は、鋼板、アルミニウム板等の曲げ加工品やアルミニウムの押出形材等により構成してもよく、また合成樹脂等を用いてもよく一体成形を行ってもよい。
【００１２】
第１及び第２の傾斜壁の音源側の外面には、吸音材を貼着してもよく、回折された騒音が直立壁と第１及び第２の傾斜壁により形成された溝部において相互干渉を行うと共に吸音材により減衰され、遮音効率が向上する。また、第１、第２の傾斜壁の隔離壁側にも吸音材を貼着し、谷部全体に吸音材を配して吸音効率を向上させるのがより好ましい。吸音材として用いられるのは、ロックウール、グラスウール、フェルト、樹脂又はコンクリートの発泡体、金属繊維をバインダーを介して結合させたもの、金属粉末や粒子、セラミック粉末や粒子或いは金属短繊維等を焼結した焼結材からなるもの、多孔質セラミックス、ポリエステル系繊維の集合体等である。
【００１３】
第１、第２の傾斜壁は直立壁にリベット締め、ボルト止めなどの締結手段等を用いて直接固定してもよく、かような方法でを用いれば騒音低減装置として必要とする材料が極めて少なくできる。また板状の部材に締結手段等を用いて固定一体化し、更に締結手段等により直立壁上端付近に取り付けてもよく、この場合は施工現場での取り付けの手間が煩瑣でなくなり、施工時間も短いものとなる。また板状の部材を用いる際も、第１、第２の傾斜壁の上端及び板状の部材の上端は、直立壁の上端も含めて一直線上にあることが好ましい。
【００１４】
直立壁及び傾斜壁により形成される溝部に塵芥、動物等が侵入し遮音性能が低下するのを防ぐことを目的として、上面に開口部を有する覆いを設けるのが好ましい。覆いは塵芥、動物等の侵入が防止でき、遮音性能が維持できる範囲の大きさの開口部を有していればよく、ネットフェンス、パンチング板、スリット板等を設けるのが好適である。
【００１５】
【発明の実施の形態】
本発明の実施の形態について、以下に示す実施例を基に説明する。
【００１６】
（実施例１）図１は本発明の一実施例を示すものである。音源側ａと反対側に張り出した円弧状の第１の傾斜壁２２と、第１の傾斜壁の内側に設けられ音源側ａと反対側に張り出した円弧状の第２の傾斜壁２３が板状の部材２１に取り付けられて騒音軽減装置２とされ、騒音軽減装置２は地上より立設されている直立壁、すなわち支柱１１に支持されている遮音壁１の上端部付近に締結手段を用いて取り付けられている。本実施例においては第１の傾斜壁２２、第２の傾斜壁２３及び遮音壁１の上端はほぼ同一の地上高とし、ほぼ上端は同一線上となされている。
【００１７】
（実施例２）
図２は本発明の一実施例を示すものであり、第１の傾斜壁２２と第２の傾斜壁２３の音源側ａの外面にグラスウール吸音材３（密度３２ｋｇ／ｍ３、厚さ５０ｍｍ）を貼着したものである。その他の部分については実施例１と同一の構成である。
【００１８】
（比較例１）
図３に示すのが、遮音壁１の上端に正方形の断面形状を有する騒音軽減装置２を設けたものである。本比較例の騒音軽減装置は内部は中空であるが外殻は亜鉛めっき鋼板にて形成され、ほぼ完全に騒音を反射する。
【００１９】
（比較例２）
図４に示すのが、遮音壁１の上端に遮音壁１とＴ字をなすように横長長方形の断面形状を有する騒音軽減装置２を設けたものである。本比較例の騒音軽減装置は内部は中空であるが外殻は亜鉛めっき鋼板にて形成され、ほぼ完全に騒音を反射する。
【００２０】
（比較例３）
図５に示すのが、遮音壁１の上端に逆二等辺三角形の断面形状を有する騒音軽減装置２を設けたものである。本比較例の騒音軽減装置は内部は中空であるが外殻は亜鉛めっき鋼板にて形成され、ほぼ完全に騒音を反射する。
【００２１】
上記に示した実施例１、２、比較例１〜３について遮音性能の測定を行った。音源側ａに遮音壁から７．５ｍ離れた道路上にスピーカーを設置し、１００Ｈｚ〜４ｋＨｚのオクターブバンドの音を発生させ、音源とは反対側の、遮音壁から２０ｍ離れ路面から１．２ｍの高さの位置にマイクロフォンを設置し音圧レベルを測定した。尚、騒音軽減装置２はいずれについても上下及び左右の最大幅は５０ｃｍとし、騒音軽減装置を含めた遮音壁の上端の地上高は３ｍとしている。
【００２２】
騒音軽減装置を設けない遮音壁と、騒音軽減装置を設けず５０ｃｍの間隔で２重に設けた遮音壁について同様の測定を行った結果を基準とし、測定結果から前記基準数値を除した数値を遮音性能とした。従って数値が高いほど高い遮音性能を示していると換言できる。前記の数値を、測定したオクターブバンド毎に求め平均を算出した結果が表１に示すものである。
【００２３】
【表１】
0003883799.tif 000002
【００２４】
実施例１は音源側への張り出しがないにも係わらず、実施例１は比較例１〜３より顕著に高い値を示し、更には騒音軽減装置を設けない遮音壁を２重に設置した場合と同程度の高い遮音性能を有し、優れた遮音性能を有していることが示されている。実施例１の溝部に吸音材を貼着した実施例２では更に高い遮音性能となり、吸音材の使用により遮音効果が増進できることが明確に示されている。
【００２５】
【発明の効果】
直立壁の上端に音源と反対側に傾斜して設けられた第１及び第２の傾斜壁の音源側の部分が遮音壁の音源と反対側へ回折しようとする騒音を反射し、更に傾斜壁同士及び傾斜壁と本体壁により形成される溝部分で音波の相互干渉が起こりエネルギーが損失されることから、音源側から遮音壁を越えて伝わろうとする騒音を効果的に遮断し、２重に遮音壁を設ける場合と同程度の高い遮音性能を発揮することができる。また構成は音源と反対側に張り出す２つの傾斜壁により構成され、音源側に張り出し部を設ける必要がなく、且つ簡潔な形状でそれほど複雑且つ煩瑣な加工をすることなく形成が可能であり装置の大きさもそれ程大型なものとする必要がない。
【図面の簡単な説明】
【図１】本発明の一実施例を示すものである。
【図２】本発明の一実施例の側面図を示すものである。
【図３】騒音軽減装置を付加した遮音壁の一例を示すものである。
【図４】騒音軽減装置を付加した遮音壁の一例を示すものである。
【図５】騒音軽減装置を付加した遮音壁の一例を示すものである。
【符号の説明】
１    遮音壁
１１  支柱
２    騒音軽減装置
２１  板状の取付部材
２２  第１の傾斜壁
２３  第２の傾斜壁
３    吸音材
【図１】
0003883799.tif 000003
【図２】
0003883799.tif 000004
【図３】
0003883799.tif 000005
【図４】
0003883799.tif 000006
【図５】
0003883799.tif 000007